(57)【要約】【課題】各項目をグループ毎に区分けする必要なしに、所望の項目に効率よく到達することが可能な項目表示装置を提供する。【解決手段】複数の項目を順序付けて記憶する項目記憶手段と、複数の項目を一覧表示する表示手段と、表示手段が一覧表示する項目の始点となる項目を表す始点情報を記憶する始点記憶手段と、ユーザによる表示更新操作に応じて、複数の項目の総数における所定割合だけ離れた項目が表示手段により表示されるよう始点情報を更新する更新手段とを備える項目表示装置。【選択図】図１
2012141706.tif 000002
【特許請求の範囲】
【請求項１】
複数の項目を順序付けて記憶する項目記憶手段と、
前記複数の項目を一覧表示する表示手段と、
前記表示手段が一覧表示する項目の始点となる項目を表す始点情報を記憶する始点記憶手段と、
ユーザによる表示更新操作に応じて、前記複数の項目の総数における所定割合だけ離れた項目が前記表示手段により表示されるよう前記始点情報を更新する更新手段と、
を備えることを特徴とする項目表示装置。
【請求項２】
請求項１に記載の項目表示装置において、
前記更新手段は、ユーザによる表示小更新操作に応じて、前記表示手段が一覧表示する項目の数以下の所定数だけ離れた項目が前記表示手段により表示されるよう前記始点情報を更新することを特徴とする項目表示装置。
【請求項３】
請求項１または２に記載の項目表示装置において、
ユーザによる選択操作に応じて、前記表示手段により表示されている項目からいずれか１つの項目を選択する選択手段を更に備えることを特徴とする項目表示装置。
【請求項４】
請求項３に記載の項目表示装置において、
前記表示更新操作には、第１表示更新操作および前記第１表示更新操作とは異なる第２表示更新操作が含まれ、
前記更新手段は、前記第１表示更新操作に応じて前記始点情報により表される項目から順方向に対して前記始点情報を更新すると共に、前記第２表示更新操作に応じて逆方向に対して前記始点情報を更新することを特徴とする項目表示装置。
【請求項５】
請求項４に記載の項目表示装置において、
前記表示手段の表示画面に設けられたタッチパネルを更に備え、
前記第１表示更新操作は前記表示手段に表示された第１画像を押下する操作であり、前記第２表示更新操作は前記表示手段に表示された前記第１画像とは異なる第２画像を押下する操作であることを特徴とする項目表示装置。
【請求項６】
請求項４に記載の項目表示装置において、
ユーザがオンオフ可能な２つのメカスイッチを更に備え、
前記メカスイッチのいずれか一方のオン操作は前記第１表示更新操作であり、前記メカスイッチの他方のオン操作は前記第２表示更新操作であることを特徴とする項目表示装置。
【請求項７】
請求項６に記載の項目表示装置において、
前記表示手段の表示画面に設けられたタッチパネルを更に備え、
前記選択操作は、前記表示手段に表示された前記所定数の項目のうちいずれか１つの項目を押下する操作であることを特徴とする項目表示装置。
【請求項８】
請求項４〜７のいずれか一項に記載の項目表示装置において、
前記更新手段は、前記第１表示更新操作に引き続いてなされた前記第２表示更新操作、および、前記第２表示更新操作に引き続いてなされた前記第１表示更新操作において、前記所定割合を減少させることを特徴とする項目表示装置。
【請求項９】
請求項１〜８のいずれか一項に記載の項目表示装置において、
前記更新手段は、前記表示更新操作に要した時間に応じて前記所定割合を変化させることを特徴とする項目表示装置。
【発明の詳細な説明】
【技術分野】
【０００１】
本発明は、項目表示装置に関する。
【背景技術】
【０００２】
多数の楽曲を記憶可能なオーディオ装置における楽曲、携帯電話における連絡先、ナビゲーション装置における施設など、多数の項目を扱う機器において、それらの項目を一覧表示することがある。一画面に表示しきれない場合にはいわゆるスクロール操作により、表示される項目を目的の項目が現れるまで次々に進めていく。このような状況において、目的の項目に到達することを支援する技術が知られている。例えば特許文献１には、各項目をグループ毎に区分けすることにより、多数の項目のうちから所望の項目を短時間で検索可能な項目検索方法が記載されている。
【先行技術文献】
【特許文献】
【０００３】
【特許文献１】特開２００５−４８９１号公報
【発明の概要】
【発明が解決しようとする課題】
【０００４】
特許文献１の項目検索方法には、予め各項目を適切にグループ分けしておく必要があるという問題があった。
【課題を解決するための手段】
【０００５】
請求項１に係る発明は、複数の項目を順序付けて記憶する項目記憶手段と、複数の項目のうちいずれか一つの項目を表す始点情報を記憶する始点記憶手段と、複数の項目について、始点情報に対応する項目から順に所定数の項目を一覧表示する表示手段と、ユーザによる表示更新操作に応じて、複数の項目の総数における所定割合だけ離れた項目を表すよう始点情報を更新する更新手段と、を備えることを特徴とする項目表示装置である。
【発明の効果】
【０００６】
本発明によれば、各項目をグループ毎に区分けする必要なしに、所望の項目に効率よく到達することができる。
【図面の簡単な説明】
【０００７】
【図１】本発明の第１の実施の形態に係るオーディオ機器の構成を示すブロック図である。
【図２】表示装置１５０の表示画面に表示される楽曲選択画面を示す図である。
【図３】制御回路１１０による画面表示処理のフローチャートである。
【図４】本発明の第２の実施の形態に係るオーディオ機器の構成を示すブロック図である。
【図５】表示装置１５０の表示画面が設けられた面からオーディオ機器２００を見た模式図である。
【図６】第３の実施の形態における楽曲選択画面を示す図である。
【図７】第４の実施の形態における楽曲選択画面を示す図である。
【図８】第５の実施の形態における楽曲選択画面を示す図である。
【発明を実施するための形態】
【０００８】
（第１の実施の形態）
図１は、本発明の第１の実施の形態に係るオーディオ機器の構成を示すブロック図である。オーディオ機器１００は車載型の装置であり、スピーカ１７０から楽曲の再生を行う機能を有する。オーディオ機器１００を構成する各部は、ＣＰＵおよびその周辺回路等を含む制御回路１１０により制御される。制御回路１１０は、不揮発性の記憶媒体であるフラッシュメモリ１２０から所定の制御プログラムを読み出して実行することにより、オーディオ機器１００の各部を制御する。
【０００９】
オーディオ機器１００は、複数の楽曲データ１４１を順序付けて記憶するハードディスクドライブ（ＨＤＤ）１４０を備える。複数の楽曲データ１４１の順序付けは、例えば楽曲名や再生回数順、記録日時順などの基準により行われる。ＤＲＡＭ１３０は、複数の楽曲データ１４１のうちいずれか１つの楽曲データを表す始点情報Ｓを記憶する。表示装置１５０は、複数の楽曲データ１４１について、始点情報Ｓに対応する楽曲データから順に所定数（本実施形態では５つ）の楽曲データを一覧表示する。つまり始点情報Ｓは、表示装置１５０が一覧表示する楽曲データの始点となる楽曲データを表す情報である。表示装置１５０の表示画面には、例えば抵抗膜方式や静電誘導方式などのタッチパネル１６０が設けられ、ユーザが指等で操作した画面上の位置を表す操作信号を制御回路１１０に出力する。
【００１０】
（楽曲選択画面の説明）
図２（ａ）は、表示装置１５０の表示画面に表示される楽曲選択画面を示す図である。楽曲選択画面１５１は、複数の楽曲データ１４１から再生する楽曲データを選択するための画面である。楽曲選択画面１５１には、複数の楽曲データ１４１について、始点情報Ｓに対応する楽曲データ（以下、表示開始楽曲データと称する）から順に５つの楽曲データの楽曲名が、楽曲名表示領域１５４ａ〜１５４ｅにそれぞれ表示される。すなわち、楽曲名表示領域１５４ａには表示開始楽曲データの楽曲名が、楽曲名表示領域１５４ｂには表示開始楽曲データの次の楽曲データの楽曲名が、楽曲名表示領域１５４ｃには更に次の楽曲データの楽曲名が、順に表示される。
【００１１】
本実施形態における始点情報Ｓは、１から始まる楽曲データの番号である。複数の楽曲データ１４１には予め１から始まる番号が順に割り当てられているので、制御回路１１０はこの番号で楽曲データを特定することができる。なお図２（ａ）では説明の便宜上、楽曲名表示領域１５４ａ〜１５４ｅに楽曲名の代わりに当該楽曲データの番号を示している。例えば楽曲名表示領域１５４ａには「Ｔｒａｃｋ  ００００１」と記載されており、これは複数の楽曲データ１４１において１番目に位置する楽曲データを意味するが、実際には当該領域には１番目の楽曲データの楽曲名が表示される。
【００１２】
プログレスバー１５３は複数の楽曲データ１４１のうち、現在どの楽曲データが画面に表示されているかを視覚的に表している。具体的には、プログレスバー１５３の最上部が複数の楽曲データ１４１のうち１つ目の楽曲データに、プログレスバー１５３の最下部が複数の楽曲データ１４１のうち最後の楽曲データにそれぞれ対応している。そして、現在画面に表示されている楽曲データに相当する範囲が、周囲とは異なる形態で描画されたカーソル１５３ａにより表されている。なお本実施形態では、図２（ａ）に示すように、カーソル１５３ａは黒く塗りつぶされた形態で描画される。例えばカーソル１５３ａがプログレスバー１５３の上部に描画されていれば、楽曲名表示領域１５４ａ〜１５４ｅに対応する各楽曲データは複数の楽曲データ１４１の全体のうち前半に位置する楽曲データであるということがわかる。
【００１３】
楽曲選択画面１５１の右側には、ユーザがタッチパネル１６０を介して操作可能な４つのボタンが配置されている。以下の説明では、これら４つのボタンを、上から順に第１ボタン１５５、第２ボタン１５６、第３ボタン１５７、および第４ボタン１５８と呼ぶ。
【００１４】
ユーザは楽曲選択画面１５１において、タッチパネル１６０により第１表示更新操作、第２表示更新操作、および選択操作を行うことができる。本実施形態において第１表示更新操作とは、表示装置１５０に表示された第４ボタン１５８を押下する操作である。同様に、第２表示更新操作とは、表示装置１５０に表示された第１ボタン１５５を押下する操作である。選択操作とは、表示装置１５０に表示された楽曲名表示領域１５４ａ〜１５４ｅ（すなわち５つの楽曲データの楽曲名）のうちいずれか１つを押下する操作である。
【００１５】
（表示更新操作の説明）
制御回路１１０は、ユーザによる第１表示更新操作および第２表示更新操作に応じて、複数の楽曲データ１４１の総数における所定割合（例えば１０％）だけ離れた項目を表すよう始点情報Ｓを更新する。以下、この所定割合をスクロール率と称すると共に、スクロール率に基づく始点情報Ｓの更新処理をスクロール処理と称する。ユーザが第４ボタン１５８を押下すると（すなわち第１表示更新操作が行われると）、制御回路１１０は始点情報Ｓにより表される楽曲データから順方向（下方向）に対して始点情報Ｓを更新する。例えば複数の楽曲データ１４１の総数が５０００３であり始点情報Ｓが１である（１番目の楽曲データを表している）ときにユーザが第１表示更新操作を行うと、制御回路１１０は始点情報Ｓを、１番目の楽曲データから順方向（下方向）に１０％だけ離れた楽曲データを表すよう更新する。５０００３の１０％は５０００であるので、始点情報Ｓは５００１に更新される。つまり、始点情報Ｓは５００１番目の楽曲データを表すよう更新される。表示装置１５０は始点情報Ｓの更新に応じて表示画面を更新する。
【００１６】
例えば図２（ａ）において、ユーザが第４ボタン１５８を押下すると、表示装置１５０の表示画面は図２（ｂ）に示す画面に更新される。ここで、第１表示更新操作の実行前（図２（ａ））は始点情報Ｓが１番目の楽曲データを表していたのに対し、第１表示更新操作の実行後（図２（ｂ））には始点情報Ｓが５００１番目の楽曲データを表すようになっている。
【００１７】
ユーザが第１ボタン１５５を押下すると（すなわち第２表示更新操作が行われると）、制御回路１１０はは第４ボタン１５８の場合と同様に、始点情報Ｓにより表される楽曲データから逆方向（上方向）に対して始点情報Ｓを更新する。始点情報Ｓを更新する方向が逆であることを除き、第１表示更新操作と同様である。すなわち、第１表示更新操作および第２表示更新操作はいずれも、複数の楽曲データ１４１の総数における所定割合だけ離れた楽曲データを表すよう始点情報Ｓを更新する表示更新操作であるといえる。
【００１８】
第２ボタン１５６および第３ボタン１５７は、一画面分（一定数分）だけ離れた楽曲データを表すよう始点情報Ｓを更新するボタンである。ユーザが第３ボタン１５７を押下すると（表示小更新操作が行われると）、制御回路１１０は始点情報Ｓにより表される楽曲データから順方向（下方向）に対して始点情報Ｓを更新する。例えば複数の楽曲データ１４１の総数が５０００３であり始点情報Ｓが１である（１番目の楽曲データを表している）ときにユーザが第３ボタン１５７を押下すると、制御回路１１０は始点情報Ｓを、１番目の楽曲データから順方向（下方向）に５つだけ離れた楽曲データを表すよう更新する。つまり、始点情報Ｓは６番目の楽曲データを表すよう更新される。表示装置１５０は始点情報Ｓの更新に応じて表示画面を更新する。
【００１９】
ユーザが第２ボタン１５６を押下すると、制御回路１１０は第３ボタン１５７の場合と同様に、始点情報Ｓにより表される楽曲データから逆方向（上方向）に対して始点情報Ｓを更新する。始点情報Ｓを更新する方向が逆であることを除き、第３ボタン１５７と同様である。
【００２０】
なお、上述の各ボタンを押下したことによる始点情報Ｓの更新処理において、複数の楽曲データ１４１の始端と終端はあたかも連続であるかのように扱われる。すなわち、下方向（順方向）への更新の結果、表示開始楽曲データが終端の楽曲データを超過してしまう場合には、超過分を始端の楽曲データから下方向（順方向）に計算する。上方向（逆方向）についても同様である。
【００２１】
例えば図２（ａ）に示すように、１番目の楽曲データが表示開始楽曲データであるときに第２ボタン１５６が押下されると、制御回路１１０は終端から５つ上の楽曲データ、すなわち４９９９９番目の楽曲データを表示開始楽曲データとする。結果として、楽曲選択画面１５１には４９９９９番目の楽曲データから５０００３番目の楽曲データにそれぞれ対応する楽曲名が表示されることになる。
【００２２】
上述した始端と終端の連続性は、更新処理だけではなく一覧表示においても適用される。例えば複数の楽曲データ１４１の総数が１０であり、表示開始楽曲データが８番目の楽曲データであった場合、楽曲選択画面１５１には８番目、９番目、１０番目、１番目、２番目の楽曲データの楽曲名がそれぞれ表示される。
【００２３】
（選択操作の説明）
制御回路１１０は、ユーザによる選択操作に応じて、表示装置１５０により表示されている楽曲データからいずれか１つの楽曲データを選択する。ユーザが楽曲名表示領域１５４ａ〜１５４ｅのうちいずれかの領域を押下すると（タッチパネル１６０の当該領域に対応する部分に指等で触れると）、制御回路１１０は当該楽曲名表示領域に対応する楽曲データを選択し、選択した楽曲データの再生を開始する。楽曲選択画面１５１の左上には、再生中の楽曲データの番号と総楽曲データ数とが表示される状態表示領域１５２が設けられる。例えば図２（ａ）に示す状態表示領域１５２からは、再生中の楽曲データの番号が「１」、総楽曲データ数が「５０００３」であることを読み取ることができる。
【００２４】
（スクロール処理の説明）
図３は制御回路１１０による画面表示処理のフローチャートである。制御回路１１０は図３に示す処理を繰り返し実行し、始点情報Ｓが更新される都度、表示装置１５０の表示画面を更新する。図３に示す処理に先立って、ＤＲＡＭ１３０には複数の楽曲データ１４１のうち、先頭の楽曲データを表す始点情報Ｓが記憶される。
【００２５】
まずステップＳ３００では制御回路１１０が、始点情報Ｓで表される楽曲データから４つ先の楽曲データまでの各楽曲データについて、楽曲名を順に表示する。このとき楽曲データの総数を超える分は、楽曲データの先頭から数え直す。例えば始点情報Ｓが１９７、楽曲データの総数が２００であれば、１９７、１９８、１９９、２００、１の各番号に対応する楽曲データについて楽曲名が表示される。
【００２６】
ステップＳ３１０では制御回路１１０が、第１ボタン１５５が押下されたか否かを判定する。第３ボタン１５７が押下されていれば肯定判定がなされ、処理はステップＳ３２０に進む。ステップＳ３２０では制御回路１１０が始点情報Ｓを、複数の楽曲データ１４１の総数Ｎにおける１０％だけ逆方向（上方向）に離れた楽曲データを表すよう更新する。具体的には、総数Ｎ×０．１を始点情報Ｓから減じる。なお、この演算により始点情報Ｓが０以下の値になった場合には、複数の楽曲データ１４１の末尾から数え直す。他方、ステップＳ３１０において否定判定がなされた場合、処理はステップＳ３３０に進む。
【００２７】
ステップＳ３３０では制御回路１１０が、第２ボタン１５６が押下されたか否かを判定する。第２ボタン１５６が押下されていれば肯定判定がなされ、処理はステップＳ３４０に進む。ステップＳ３４０では制御回路１１０が始点情報Ｓを、５つだけ逆方向（上方向）に離れた楽曲データを表すよう更新する。具体的には、始点情報Ｓから所定数５を減じる。なお、この演算により始点情報Ｓが０以下の値になった場合には、複数の楽曲データ１４１の末尾から数え直す。他方、ステップＳ３３０において否定判定がなされた場合、処理はステップＳ３５０に進む。
【００２８】
ステップＳ３５０では制御回路１１０が、第３ボタン１５７が押下されたか否かを判定する。第３ボタン１５７が押下されていれば肯定判定がなされ、処理はステップＳ３６０に進む。ステップＳ３６０では制御回路１１０が始点情報Ｓを、５つだけ順方向（下方向）に離れた楽曲データを表すよう更新する。具体的には、始点情報Ｓに所定数５を加える。なお、この演算により始点情報Ｓが複数の楽曲データ１４１の総数Ｎ以上の値になった場合には、複数の楽曲データ１４１の先頭から数え直す。他方、ステップＳ３５０において否定判定がなされた場合、処理はステップＳ３７０に進む。
【００２９】
ステップＳ３７０では制御回路１１０が、第４ボタン１５８が押下されたか否かを判定する。第４ボタン１５８が押下されていれば肯定判定がなされ、処理はステップＳ３８０に進む。ステップＳ３８０では制御回路１１０が始点情報Ｓを、複数の楽曲データ１４１の総数Ｎにおける１０％だけ順方向（下方向）に離れた楽曲データを表すよう更新する。具体的には、総数Ｎ×０．１を始点情報Ｓに加える。なお、この演算により始点情報Ｓが複数の楽曲データ１４１の総数Ｎ以上の値になった場合には、複数の楽曲データ１４１の先頭から数え直す。他方、ステップＳ３７０において否定判定がなされた場合、処理は終了する。
【００３０】
上述した第１の実施の形態によるオーディオ機器１００によれば、次の作用効果が得られる。
（１）制御回路１１０は、ＨＤＤ１４０に順序付けて記憶されている複数の楽曲データ１４１について、ＤＲＡＭ１３０に記憶されている始点情報Ｓに対応する楽曲データから順に５つの項目を一覧表示する。ユーザによる表示更新操作に応じて制御回路１１０は、複数の楽曲データ１４１の総数の１０％だけ離れた項目を表すよう、始点情報Ｓを更新する。このようにしたので、各項目をグループ毎に区分けする必要なしに、所望の項目に効率よく到達することができる。
【００３１】
（２）制御回路１１０は、ユーザによる選択操作に応じて、表示装置１５０の表示画面に表示されている楽曲データからいずれか１つの楽曲データを選択する。このようにしたので、ユーザが複数の楽曲データ１４１から所望の楽曲データを選択することが容易になる。
【００３２】
（３）表示更新操作には、第１表示更新操作および第２表示更新操作が含まれている。制御回路１１０は、第１表示更新操作に応じて始点情報Ｓにより表される楽曲データから順方向に対して始点情報Ｓを更新すると共に、第２表示更新操作に応じて逆方向に対して始点情報Ｓを更新する。このようにしたので、多数の楽曲データから所望の楽曲データを自在に選択することができる。
【００３３】
（４）表示装置１５０の表示画面にはタッチパネル１６０が設けられている。第１表示更新操作は表示画面に表示された第４ボタン１５８を押下する操作であり、第２表示更新操作は表示画面に表示された第１ボタン１５５を押下する操作であるこのようにしたので、タッチパネル１６０を用いた直感的な操作が可能となる。
【００３４】
（第２の実施の形態）
図４は、本発明の第２の実施の形態に係るオーディオ機器の構成を示すブロック図である。なお、図１に示す第１の実施の形態に係るオーディオ機器１００と同様の箇所については同一の符号を付し説明を省略する。本実施形態のオーディオ機器２００は、第１の実施の形態において説明した各部に加えて、更に入力装置２８０を備える。
【００３５】
図２に示した楽曲選択画面１５１では、第１表示更新操作および第２表示更新操作はそれぞれ、第４ボタン１５８を押下する操作および第１ボタン１５５を押下する操作であった。すなわち、ユーザは表示画面に表示されたボタン画像に応じてタッチパネル１６０の操作面を押下することで、第１表示更新操作および第２表示更新操作を行っていた。本実施形態では、上記とは異なる操作を第１表示更新操作および第２表示更新操作とする。
【００３６】
図５は表示装置１５０の表示画面が設けられた面からオーディオ機器２００を見た模式図である。表示装置１５０の表示画面２５１の付近には、第１プッシュボタン２５５、第２プッシュボタン２５６、第３プッシュボタン２５７、第４プッシュボタン２５８が設けられている。本実施形態における第１表示更新操作は第４プッシュボタン１５８を押下する操作であり、第２表示更新操作は第１プッシュボタン１５５を押下する操作である。
【００３７】
これらのプッシュボタンは機械的なプッシュボタンであり、各プッシュボタンはそれぞれ独立したメカスイッチに接続されている。つまり、各プッシュボタンを押下すると当該プッシュボタンに対応したメカスイッチのオンオフ状態が変化する。各メカスイッチは入力装置２８０に接続されており、入力装置２８０はメカスイッチのオンオフ状態の変化すなわちオンオフ操作を検出して制御回路１１０に当該操作に応じた操作信号を出力する。制御回路１１０はこの操作信号に基づいて、ユーザにより第１表示更新操作および第２表示更新操作が行われたことを検知する。なお、第１表示更新操作および第２表示更新操作が行われたことに応じて制御回路１１０が実行するスクロール処理は、第１の実施の形態と同様である。
【００３８】
第２プッシュボタン２５６および第３プッシュボタン２５７についても同様に、それぞれ第１の実施形態における第２ボタン１５６および第３ボタン１５７に対応している。すなわち制御回路１１０は、第２プッシュボタン２５６および第３プッシュボタン２５７の押下に応じて、それぞれ第１の実施形態において第２ボタン１５６および第３ボタン１５７の押下に応じて行っていたものと同様の処理を実行する。
【００３９】
なお、選択操作については第１の実施の形態と同様である。すなわち、第２の実施の形態において選択操作とは、表示装置１５０に表示された楽曲名表示領域１５４ａ〜１５４ｅ（すなわち５つの楽曲データの楽曲名）のうちいずれか１つを押下する操作である。
【００４０】
上述した第２の実施の形態によるオーディオ機器によれば、第１の実施の形態によるオーディオ機器で得られる作用効果に加えて、次の作用効果が得られる。
（１）オーディオ機器２００はユーザがオンオフ可能な２つのメカスイッチを備える。第１表示更新操作は一方のメカスイッチのオン操作であり、第２表示更新操作は他方のメカスイッチのオン操作である。このようにしたので、リモコンやオーディオ機器本体に設けられた機械的なスイッチで操作を行う場合であっても、タッチパネルと同様の直感的な操作が可能となる。
【００４１】
（第３の実施の形態）
本発明の第３の実施の形態に係るオーディオ機器は、第１の実施の形態と同様の構成を有する。なお、以下の説明では第１の実施の形態と異なる点についてのみ述べる。
【００４２】
図６は、第３の実施の形態における楽曲選択画面を示す図である。ユーザが楽曲選択画面３５１に配置されている各種ボタンのうち第１ボタン１５５および第４ボタン１５８を押下すると、楽曲選択画面３５１には割合表示領域６１０が新たに表示される。割合表示領域６１０はユーザが上記のボタンを押下している間、表示され続ける。例えば図６（ａ）には、ユーザが指６００により第４ボタン１５８を押下している様子が示されている。このとき、楽曲選択画面３５１の左下に割合表示領域６１０が表示される。
【００４３】
前述の通り、第１ボタン１５５および第４ボタン１５８を押下すると制御回路１１０はスクロール処理を実行する。割合表示領域６１０にはこのスクロール処理におけるスクロール率（例えば１０％）が表示される。ユーザが第１ボタン１５５および第４ボタン１５８を押下し続けると（指６００がタッチパネル１６０に触れた状態を維持し続けると）、制御回路１１０は第１ボタン１５５および第４ボタン１５８の押下時間に応じてスクロール率を増加させる。例えば図６（ｂ）では、ユーザが第４ボタン１５８を押下し始めてから一定時間が経過したため、制御回路１１０がスクロール率を１０％から２０％に増加させている。その結果、割合表示領域６１０の表示も１０％（図６（ａ））から２０％に変化している。
【００４４】
ユーザが第１ボタン１５５および第４ボタン１５８の押下をやめると（指６００をタッチパネル１６０から離すと）、制御回路１１０は押下をやめた時点でのスクロール率に基づいて始点情報Ｓを更新する。例えば図６（ｂ）に示した状態から第４ボタン１５８の押下が中断されると、図６（ｃ）に示すように、制御回路１１０は複数の楽曲データ１４１の総数の２０％分だけ（すなわち１００００曲分だけ）離れた楽曲データを表すよう始点情報Ｓを更新する。このとき、割合表示領域６１０は楽曲選択画面３５１から消去される。以上で説明したように、本実施形態の制御回路１１０は、表示更新操作に要した時間に応じてスクロール率を変化させる。
【００４５】
上述した第３の実施の形態によるオーディオ機器によれば、第１の実施の形態によるオーディオ機器で得られる作用効果に加えて、次の作用効果が得られる。
（１）制御回路１１０は、表示更新操作に要した時間に応じてスクロール率を変化させる。このようにしたので、繰り返しスクロール処理を実行することによる負荷の増大や画面の再描画なしに、始点情報Ｓを大きく変化させることが可能となる。
【００４６】
（第４の実施の形態）
本発明の第４の実施の形態に係るオーディオ機器は、第１の実施の形態と同様の構成を有する。なお、以下の説明では第１の実施の形態と異なる点についてのみ述べる。
【００４７】
図７は、第４の実施の形態における楽曲選択画面を示す図である。ユーザが楽曲選択画面４５１に配置されている各種ボタンのうち第１ボタン１５５および第４ボタン１５８を押下すると、制御回路１１０は第１の実施の形態と同様のスクロール処理を行い始点情報Ｓを更新する。このとき、プログレスバー１５３の上に描画されているカーソル１５３ａは新たな位置に再描画される。例えば図７（ａ）に示した状態において、ユーザが第４ボタン１５８を押下すると、制御回路１１０は楽曲選択画面４５１を図７（ｂ）に示す内容に更新する。
【００４８】
本実施形態の制御回路１１０は、第１表示更新操作および第２表示更新操作により始点情報Ｓが更新されると、カーソル１５３ａの位置を変更すると共に、変更前のカーソル１５３ａの位置から変更後のカーソル１５３ａの位置までの範囲を強調表示する。例えば図７（ａ）においてユーザが第４ボタン１５８を押下すると、楽曲選択画面４５１は図７（ｂ）に示す内容に更新される。このとき、プログレスバー１５３の特定の領域１５３ｂが、プログレスバー１５３の他の領域とは異なる態様で描画される。この領域１５３ｂは、図７（ａ）におけるカーソル１５３ａの位置から、図７（ｂ）におけるカーソル１５３ａの位置までを覆っている。
【００４９】
本実施形態の制御回路１１０は更に、第１表示更新操作に引き続いてなされた第２表示更新操作において、スクロール率を通常よりも減少させる。例えば図７（ａ）においてユーザが第１表示更新操作を行うと、楽曲選択画面４５１は図７（ｂ）に示す内容に更新される。本実施形態におけるスクロール率は１０％、複数の楽曲データ１４１の総数が５０００３であるので、始点情報Ｓは５０００だけ増加している。ここでユーザが第２表示更新操作を行うと、制御回路１１０はスクロール率を直前の第１表示更新操作におけるスクロール率の１０％に減少させてスクロール処理を実行する。スクロール処理の実行後の楽曲選択画面４５１を図７（ｃ）に示す。図７（ｂ）においてスクロール率は１０％であったので、制御回路１１０はスクロール率を０．１×０．１＝０．０１、すなわち１％としてスクロール処理を実行する。すなわち、始点情報Ｓは５００だけ増加することになる。
【００５０】
なお本実施形態の制御回路１１０は、第２表示更新操作に引き続いてなされた第１表示更新操作においても同様に、スクロール率を通常よりも減少させる。また、第１表示更新操作に引き続いてなされた第２表示更新操作の後、更に第１表示更新操作がなされた場合、スクロール率は更に減少する。この手順はスクロール率が所定の下限値に到達するまで繰り返すことが可能である。
【００５１】
上述した第４の実施の形態によるオーディオ機器によれば、第１の実施の形態によるオーディオ機器で得られる作用効果に加えて、次の作用効果が得られる。
（１）制御回路１１０は、第１表示更新操作に引き続いてなされた第２表示更新操作、および、第２表示更新操作に引き続いてなされた第１表示更新操作において、スクロール率を減少させる。このようにしたので、スクロール処理により所望の楽曲データを通り過ぎてしまった場合であっても、的確に手前の楽曲データに到達することが可能になる。
【００５２】
（第５の実施の形態）
本発明の第５の実施の形態に係るオーディオ機器は、第１の実施の形態と同様の構成を有する。なお、以下の説明では第１の実施の形態と異なる点についてのみ述べる。
【００５３】
図８は、第５の実施の形態における楽曲選択画面を示す図である。楽曲選択画面５５１は、第１の実施の形態における楽曲選択画面１５１（図２）の各部に加えて、ズームボタン８００を有する。スクロール処理が行われた後に、ユーザによりズームボタン８００が押下されると、制御回路１１０はスクロール処理や表示処理の対象となる楽曲データの範囲を一時的に制限するようになる。
【００５４】
例えば図８（ａ）に示す状態のとき、ユーザにより第１表示更新操作がなされると、制御回路１１０は楽曲選択画面５５１を図８（ｂ）に示す内容に更新する。図８（ｂ）においてユーザがズームボタン８００を押下すると、制御回路１１０はズーム状態に遷移し、楽曲選択画面５５１を図８（ｃ）に示す内容に更新する。ズーム状態のとき制御回路１１０は、各種処理を、複数の楽曲データ１４１があたかもズーム範囲の楽曲データしか存在しないかのように実行する。ズーム範囲とは、図８（ａ）の時点における始点情報Ｓで表される楽曲データ（すなわち５００１番目の楽曲データ）から、図８（ｂ）の時点における始点情報Ｓで表される楽曲データ（すなわち１０００１番目の楽曲データ）までの範囲を指す。
【００５５】
例えばズーム状態においてスクロール処理は、複数の楽曲データ１４１の総数ではなく、図８（ａ）の時点における始点情報Ｓで表される楽曲データ（すなわち５００１番目の楽曲データ）から、図８（ｂ）の時点における始点情報Ｓで表される楽曲データ（すなわち１０００１番目の楽曲データ）までの総数に基づいて実行される。また、図８（ｃ）においてユーザが第３ボタン１５７を押下すると、制御回路１１０は始点情報Ｓを５００１番目の楽曲を表すよう更新する。つまり、楽曲データは、上述のズーム範囲において先頭と末尾が連続しているかのように扱われる。
【００５６】
また、ズーム状態のとき、プログレスバー１５３およびカーソル１５３ａの表示も上述のズーム範囲に基づいて行われる。つまり、図８（ｃ）におけるプログレスバー１５３は、５００１番目の楽曲データから１０００１番目の楽曲データまでの範囲を表している。更にズーム状態のときは、ズーム状態であることをユーザに示すため、プログレスバー１５３が通常とは異なる態様で描画される。例えば図８（ｃ）では、プログレスバー１５３が図８（ａ）および図８（ｂ）とは異なる色で描画されている。
【００５７】
なお、ズーム状態のときユーザが再度ズームボタン８００を押下すると、ズーム状態は解除され、スクロール処理などの各種処理は通常どおり実行されるようになる。例えば図８（ｃ）においてユーザがズームボタン８００を押下すると、楽曲選択画面５５１は図８（ｂ）に示す状態に戻る。
【００５８】
上述した第５の実施の形態によるオーディオ機器によれば、第１の実施の形態によるオーディオ機器で得られる作用効果に加えて、次の作用効果が得られる。
（１）ズームボタン８００が押下されズーム状態になると、制御回路１１０は各種処理を複数の楽曲データ１４１の全体ではなく、所定のズーム範囲に含まれる楽曲データに対して実行する。このようにしたので、表示される楽曲データの微調整を容易に行うことができる。
【００５９】
次のような変形も本発明の範囲内であり、変形例の一つ、もしくは複数を上述の実施形態と組み合わせることも可能である。
【００６０】
（変形例１）
第１の実施の形態において制御回路１１０は、第１表示更新操作および第２表示更新操作に応じて複数の楽曲データ１４１の総数における１０％だけ離れた項目を表すよう始点情報Ｓを更新していた。この割合は１０％とは異なっていてもよいことは勿論、ユーザが任意の割合を設定できるようオーディオ機器１００を構成してもよい。例えばオーディオ機器１００の設定画面等において任意の割合を設定すると、設定された割合が常用されるようにしてもよいし、操作毎に任意の割合を設定する画面が表示されるようにしてもよい。このようにすることで、所望の項目に一層容易に到達することが可能となる。
【００６１】
（変形例２）
第５の実施の形態において、ズーム状態のときズーム範囲の先頭および末尾を超えるような変更が始点情報Ｓに加えられると、制御回路１１０がズーム状態を解除するようにしてもよい。例えば図８（ｃ）に示す状態のとき、ユーザが第３ボタン１５７を押下すると、ズーム状態が解除されると共に始点情報Ｓが１０００５番目の楽曲データを表すように更新される。
【００６２】
（変形例３）
上述した各実施の形態は、いずれも複数の楽曲データ１４１を扱うオーディオ機器であった。本発明はこのようなオーディオ機器に限定されず、複数の項目を表示する項目表示装置であればどのような装置に対しても適用することが可能である。例えば複数の連絡先データ（電話番号など）を扱う携帯電話機器であってもよいし、複数の施設データ（飲食店の連絡先や住所など）を扱うナビゲーション装置であってもよい。また、各項目の順序付けはどのような順序であってもよいし、始点情報Ｓが項目の番号以外の形態であってもよい。
【００６３】
（変形例４）
上述した各実施の形態において示した数値はいずれも一例であり、本発明はこのような数値に限定されるものではない。例えばスクロール率を１０％以外の割合にしてもよいのは勿論、順方向（下方向）と逆方向（上方向）とで異なるスクロール率を採用してもよい。また、第４の実施の形態において、スクロール率の減少率は１０％でなくてもよい。一覧表示する項目数についても同様に５つでなくてもよいし、複数通りの項目数を切り替えられるように各部を構成してもよい。更に、一覧表示する向きは上下方向でなくてもよい。例えば左右方向に各項目を並べてもよいし、複数の項目を二次元状にサムネイル表示する形態であってもよい。
【００６４】
（変形例５）
第２の実施の形態において、各プッシュボタンはオーディオ機器の筐体やリモコンなど、どのような場所に設けられていてもよい。
【００６５】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００６６】
１００、２００…オーディオ機器、１１０…制御回路、１２０…フラッシュメモリ、１３０…ＤＲＡＭ、１４０…ハードディスクドライブ、１４１…複数の楽曲データ、１５０…表示装置、１５１、３５１、４５１、５５１…楽曲選択画面、１６０…タッチパネル、１７０…スピーカ、２８０…入力装置
【図１】
2012141706.tif 000003
【図２】
2012141706.tif 000004
【図３】
2012141706.tif 000005
【図４】
2012141706.tif 000006
【図５】
2012141706.tif 000007
【図６】
2012141706.tif 000008
【図７】
2012141706.tif 000009
【図８】
2012141706.tif 000010